(57)【要約】【課題】  演奏方法を単純で明快にした、足で操作するベースとしてこれを使用することも出来るし、仮に、けが等で手が使えない時、或いは手に障害がある人にも極普通のメロディー楽器として演奏することの喜びが十分味わえる装置。【解決手段】  ５度円を利用したこの装置は、他の楽器を演奏する時に足で操作する伴奏楽器として使用することも出来るし、或いは単独で使用して、足で操作する一般的な楽器にもなる。【選択図】図１
2014026251.tif 000002
【特許請求の範囲】
【請求項１】
５度円を利用した、足で操作する楽器。
【発明の詳細な説明】
【技術分野】
【０００１】  本発明は、足で操作する低音域専用の楽器に関するものである。
【背景技術】
【０００２】  楽器の演奏をする時は、自分自身が楽しむ為でも良いし、或いは他人に聞かせる為でも構わないが、今ある楽器の多くは手や口を使って音を出すものなので、楽器の演奏イコール手による楽器の操作と考えても良い。【０００３】  であれば、演奏に足は使用していないので、演奏の手段として新たに足を加えれば、楽器の操作方法としては格段に範囲が広がり大きくなる。
【発明の開示】
【発明が解決しようとする課題】
【０００４】  足は手程には器用に動かせないものの、そこそこの操作ならば対応出来る。それ故、ピアノやバイオリンのような繊細で微妙な演奏は望めなくても、トロンボーンやチューバを演奏する時の手の動き程度のきめ細やかさならば、両足を上手く使いこなせば十分可能である。【０００５】  よってこの装置は、他の楽器を演奏する時に足で操作する伴奏楽器として使用することも出来るし、或いは、例えば怪我等で手が使えない時、手に障害がある人にも極普通のメロディー楽器としても使え、演奏することの喜びが十分味わえる装置にもなる。
【課題を解決するための手段】
【０００６】  これは円周上にＣを中心として、時計回りにＧ，Ｄ，Ａ，Ｅ，Ｂ，及びＦのキーを並べたものである。仮に、Ｇを１時に持ってくるとＤは３時、Ａは５時、Ｅは７時、Ｂは９時で、Ｆは１１時となる。【０００７】  それらは別途に取り付けたスイッチ操作で、瞬時に＃系或いはｂ系の、合わせて３種類に切り替えが可能である。よって、同じ位置にありながらＧ，又はＧ＃、或いはＧｂにスイッチで切り替えることにより変換が可能である。【０００８】  これらは丁度、山手線の内回りと外回りの関係になっていて、ドミナントを取って回ればＧ、Ｄ，Ａ、Ｅ、Ｂとなり、サブドミナントだとＦ、Ｂｂ、Ｅｂ、Ａｂ、Ｄｂ、Ｇｂとなり、反対方向に相互乗り入れが出来る。池袋と渋谷の間に新宿があるように、ＤとＥとの間にはどちらから回ってもＡが入る。【０００９】よって、例えばＧとＧ＃及びＧｂの位置はそのままで、別途に取り付けたスイッチでそれらを変換する。【００１０】  この装置に使用する部品はキーボード等に使われる部品を借用する。同様にアンプやスピーカーも現在では品質の良いものが手頃な価格で手に入るので、それらを転用或いは借用する。【００１１】  ただ低音用と言うこともあり、出てくる音がスピーカーの性能に左右されることがままあるので、その選択には注意を要する。【００１２】  小さな部屋で使う時は口径２５０ミリ、小ホールで使用する時は口径３８０ミリ程度のものを用意する。いずれもｆｏは２５ヘルツとする。これには後者はほぼ問題が無いが、前者には少し厳しい条件となる。多分にミッシング・ファンダメンタルの恩恵を被っているイヤホーン等とは異なり、かなり大きな音量の低音なので、低音を聞くと言うより体で音圧を感じると言った方が当たっているので、特に注意しなければならない。【００１３】  アンプの出力は小さな室内用では１０ワット未満でもよく、小ホール等で使用する時は４０ワット程度とする。電源は家庭用の１００ボルトを使う。又は９乃至１２ボルトのバッテリーでも使用できれば使い道が広がる。更に、ヘッドホーン専用等の小さな出力のアンプにはＵＳＢの５ボルトでも、また、充電でも使用可能なら便利である。【００１４】  現在では品質の良いものが安価で大量に生産されているので、同じ性能のものならば、わざわざ別にあつらえで作るより費用が抑えられる。よって、発振器、アンプ、スピーカーは何れも既存の部品或いは装置を転用又は借用する。
【発明の効果】
【００１５】  足は手のようには器用に動かないが簡単な作業なら十分こなすことが出来る。そこで操作方法を単純でわかり易くすることで、初心者にも短時間の訓練で容易にベースとして使用することも可能である。【００１６】アマチュアが数人で演奏を楽しむ時、ベース担当がいなくても、誰かが自分の担当楽器を演奏しつつ同時に足で、この装置を操作することで楽しい合奏が出来る。【００１７】  一人で演奏を楽しむ時も、例えば手や口で管楽器を操作しながら足を使ってこの装置で伴奏すれば不思議なデュオが出来上がる。
【発明を実施するための最良の形態】
【００１８】  多くの楽器は手を使って操作するので、演奏中それは常に塞がっているが、足は使用していないので両足は自由に使える。その足を使って同時に、主に低音域の伴奏をする目的の装置である。【００１９】  よってこの装置は、他の楽器を演奏する時に足で操作する伴奏楽器として使用することも出来るし、或いは単独で使用して、足で演奏する一般的なメロディー楽器とみなしても良い。【００２０】  この装置は中心にＣを据えて、その周りをＧからは時計回りにドミナントを取っていくとＡ，Ｅ，Ｂとなり、逆にＦからはＢｂ，Ｅｂ，Ａｂ，Ｄｂ，Ｇｂとなりアルファベットの文字は重なる。よって、別途に設けたキーの操作によりｂ系も＃系も重ねることが出来る。例えばＡの位置でＡｂにもＡ＃にも容易に、しかも瞬間に変えることが出来る。【００２１】  一般的にはＡを元にすると計算し易いが、この装置はＣを中心に持って来ているので、周波数もＣを基準として、１オクターブ、２オクターブと取っていく。よって、この装置の最低音は３３ヘルツのＣとなり、上限は９８８ヘルツのＢとなる。【００２２】  この装置は１３１ヘルツのＣを元に、１オクターブ上には２６２ヘルツ、２オクターブ上には５２３ヘルツ、又、１オクターブ下には６５ヘルツ、２オクターブ下げると最低音の３３ヘルツのＣとなる。【００２３】  現在では品質の良いものが安価で大量に生産されているので、同じ性能のものならば、わざわざ別にあつらえで作るより費用が抑えられる。よって、発振器、アンプ、スピーカーは何れも既存の部品或いは装置を転用又は借用する。【００２４】  この装置に使用する部品はキーボード等に使われる部品を借用する。同様にアンプやスピーカーも現在では品質の良いものが手頃な価格で手に入るので、それらを転用或いは借用する。但し、スピーカーの性能には幅があるので、吟味して選択する。【００２５】  小さな部屋で使う時は口径２５０ミリ、小ホールで使用する時は口径３８０ミリ程度のものを用意する。いずれもｆｏは２５ヘルツとする。これには後者はほぼ問題が無いが、前者には少し厳しい条件となる。高域は周波数特性に暴れが無く、素直に伸びていれば良く、前者で２０００ヘルツ、後者で１５００ヘルツを目途とする。【００２６】  収めるスピーカー・ボックスは一般的な密閉型か位相反転型とする。更に、低音用と言うことでスピーカーを取り付ける前面板には、間に乾燥砂をサンドイッチしたものを使用すると無用な共振が制動され音がクリアーになる。【００２７】  アンプの出力は小さな室内用では１０ワット未満でもよく、小ホールでは使用する時は４０ワット程度とする。電源は家庭用の１００ボルトを使う。又は９乃至１２ボルトのバッテリーでも使用できれば使い道が広がる。更に、ヘッドホーン専用等の小さな出力のアンプにはＵＳＢの５ボルトでも、また、充電でも使用可能なら便利である。
【図面の簡単な説明】
【００２８】
【図１】  キーの音名
【図２】  ＃のついたキーの音名
【図３】  ｂのついたキーの音名
【符号の説明】
【００２９】１      台
２      Ｃのキー
３      Ｇのキー
４      Ｄのキー
５      Ａのキー
６      Ｅのキー
７      Ｂのキー
８      Ｆのキー
９      Ｃ＃のキー
１０    Ｇ＃のキー
１１    Ｄ＃のキー
１２    Ａ＃のキー
１３    Ｆ＃のキー
１４    Ｂｂのキー
１５    Ｅｂのキー
１６    Ａｂのキー
１７    Ｄｂのキー
１８    Ｇｂのキー
【図１】
2014026251.tif 000003
【図２】
2014026251.tif 000004
【図３】
2014026251.tif 000005